(57)【要約】【課題】  何らかの原因でバーストエラーが発生した場合でも、基地局側の送信電力を過剰に大きな値にさせることがないようにできる移動体通信端末装置を提供する。【解決手段】  受信データにおけるエラー検出頻度を演算するエラー頻度演算部４１を備える。エラー検出頻度が目標値以下の場合には目標ＳＩＲの設定値を低くする一方で、目標値を超える場合には目標ＳＩＲの設定値を高くする目標送信電力設定部４４を備える。受信信号のＳＩＲを測定するＳＩＲ測定部３３と、測定された受信ＳＩＲと設定された目標ＳＩＲとを比較するＳＩＲ比較部３４と、測定されたＳＩＲが目標ＳＩＲ以上である場合にはＳＩＲを低下させる要求を、測定されたＳＩＲが目標ＳＩＲ未満である場合にはＳＩＲを上昇させる要求を、それぞれ行う送信電力要求部３５と、エラー頻度演算部４１により演算されたエラー検出頻度が所定の閾値を超えた場合に、該検出頻度を実際よりも小さい値に補正するエラー頻度補正部４２を備える。【選択図】    図１
2006050498.tif 000002
【特許請求の範囲】
【請求項１】
受信データにおけるエラーの検出頻度を演算するエラー頻度演算部と、
前記エラー頻度演算部により演算されたエラーの検出頻度が、目標値以下の場合には目標とするＳＩＲの設定値を低くする一方で、該検出頻度が目標値を超える場合には目標とするＳＩＲの設定値を高くする目標送信電力設定部と、
受信信号のＳＩＲを測定するＳＩＲ測定部と、
前記ＳＩＲ測定部により測定されたＳＩＲと、前記目標送信電力設定部により設定された目標ＳＩＲと、を比較するＳＩＲ比較部と、
測定されたＳＩＲが目標ＳＩＲ以上であると前記ＳＩＲ比較部により判定された場合にはＳＩＲを低下させる要求を、測定されたＳＩＲが目標ＳＩＲ未満であると前記ＳＩＲ比較部により判定された場合にはＳＩＲを上昇させる要求を、それぞれ行う送信電力要求部と、
前記エラー頻度演算部により演算されたエラーの検出頻度が所定の閾値を超えた場合に、該検出頻度を実際よりも小さい値に補正するエラー頻度補正部と、
を備えることを特徴とする移動体通信端末装置。
【請求項２】
前記エラー頻度演算部は、受信データにおけるＣＲＣエラーの検出頻度を演算することを特徴とする請求項１に記載の移動体通信端末装置。
【請求項３】
アンテナと、
前記アンテナにより受信した電波を復号化することにより復号データを生成する復号部と、
前記復号データにおけるエラーを検出するエラー検出部と、
前記エラー検出部によるエラーの検出頻度を演算するエラー頻度演算部と、
前記エラー頻度演算部により演算されたエラーの検出頻度が、目標値以下の場合には目標とするＳＩＲの設定値を低くする一方で、該検出頻度が目標値を超える場合には目標とするＳＩＲの設定値を高くする目標送信電力設定部と、
前記復号データに基づき受信信号のＳＩＲを測定するＳＩＲ測定部と、
前記ＳＩＲ測定部により測定されたＳＩＲと、前記目標送信電力設定部により設定された目標ＳＩＲと、を比較するＳＩＲ比較部と、
測定されたＳＩＲが目標ＳＩＲ以上であると前記ＳＩＲ比較部により判定された場合にはＳＩＲの低下を要求する旨の制御データを、測定されたＳＩＲが目標ＳＩＲ未満であると前記ＳＩＲ比較部により判定された場合にはＳＩＲの上昇を要求する旨の制御データを、それぞれ生成する送信電力制御データ生成部と、
前記送信電力制御データ生成部により生成された制御データと、符号化された通信データと、を送信する送信部と、
前記エラー頻度演算部により演算されたエラーの検出頻度が所定の閾値を超えた場合に、該検出頻度を実際よりも小さい値に補正するエラー頻度補正部と、
を備えることを特徴とする移動体通信端末装置。
【請求項４】
前記エラー検出部は、復号データにおけるＣＲＣエラーを検出し、
前記エラー頻度演算部は、前記エラー検出部によるＣＲＣエラーの検出頻度を演算することを特徴とする請求項３に記載の移動体通信端末装置。
【請求項５】
前記エラー頻度補正部は、前記エラー頻度演算部により演算されたエラーの検出頻度を前記閾値となるように補正することを特徴とする請求項１乃至４のいずれか一項に記載の移動体通信端末装置。
【請求項６】
前記エラー頻度補正部は、前記エラー頻度演算部により演算されたエラーの検出頻度を、１未満の係数を乗算することにより補正することを特徴とする請求項１乃至５のいずれか一項に記載の移動体通信端末装置。
【請求項７】
前記エラー頻度補正部は、前記エラー頻度演算部により演算されたエラーの検出頻度を前記閾値未満の値となるように補正することを特徴とする請求項１乃至５のいずれか一項に記載の移動体通信端末装置。
【請求項８】
前記エラー頻度演算部は、受信データの単位区間あたりのエラーの検出頻度を演算することを特徴とする請求項１乃至７のいずれか一項に記載の移動体通信端末装置。
【請求項９】
前記エラー頻度演算部は、単位時間あたりの受信データのエラーの検出頻度を演算することを特徴とする請求項１乃至７のいずれか一項に記載の移動体通信端末装置。
【請求項１０】
前記エラー頻度演算部は、受信データの単位区間あたりのエラーの検出頻度を演算し、
前記エラー頻度補正部は、前記エラー頻度演算部により演算されたエラーの検出頻度が所定の閾値を超えることが、受信データの複数の単位区間において連続して発生した場合に、エラーの検出頻度を補正することを特徴とする請求項１乃至７のいずれか一項に記載の移動体通信端末装置。
【請求項１１】
当該移動体通信端末装置は、ＣＤＭＡ通信方式により通信を行うことを特徴とする請求項１乃至１０のいずれか一項に記載の移動体通信端末装置。
【請求項１２】
受信データにおけるエラーの検出頻度を演算する演算工程と、
前記演算工程により演算されたエラーの検出頻度が、目標値以下の場合には目標とするＳＩＲの設定値を低くする一方で、該検出頻度が目標値を超える場合には目標とするＳＩＲの設定値を高くする目標送信電力設定工程と、
受信信号のＳＩＲを測定するＳＩＲ測定工程と、
前記ＳＩＲ測定工程により測定されたＳＩＲと、前記目標送信電力設定工程により設定された目標ＳＩＲと、を比較するＳＩＲ比較工程と、
測定されたＳＩＲが目標ＳＩＲ以上である場合にはＳＩＲを低下させる要求を、測定されたＳＩＲが目標ＳＩＲ未満である場合にはＳＩＲを上昇させる要求を、それぞれ行う送信電力要求工程と、
前記演算工程により演算されたエラーの検出頻度が所定の閾値を超えた場合に、該検出頻度を実際よりも小さい値に補正するエラー頻度補正工程と、
を備えることを特徴とする移動体通信方法。
【請求項１３】
アンテナにより受信した電波を復号化することにより復号データを生成する復号工程と、
前記復号データにおけるエラーを検出するエラー検出工程と、
前記エラー検出工程によるエラーの検出頻度を演算するエラー頻度演算工程と、
前記エラー頻度演算工程により演算されたエラーの検出頻度が、目標値以下の場合には目標とするＳＩＲの設定値を低くする一方で、該検出頻度が目標値を超える場合には目標とするＳＩＲの設定値を高くする目標送信電力設定工程と、
前記復号データに基づき受信信号のＳＩＲを測定するＳＩＲ測定工程と、
前記ＳＩＲ測定工程により測定されたＳＩＲと、前記目標送信電力設定工程により設定された目標ＳＩＲと、を比較するＳＩＲ比較工程と、
測定されたＳＩＲが目標ＳＩＲ以上である場合にはＳＩＲの低下を要求する旨の制御データを、測定されたＳＩＲが目標ＳＩＲ未満である場合にはＳＩＲの上昇を要求する旨の制御データを、それぞれ生成する送信電力制御データ生成工程と、
前記送信電力制御データ生成工程にて生成された制御データと、符号化された通信データと、を送信する送信工程と、
前記エラー頻度演算工程により演算されたエラーの検出頻度が所定の閾値を超えた場合に、該検出頻度を実際よりも小さい値に補正するエラー頻度補正工程と、
を備えることを特徴とする移動体通信方法。
【請求項１４】
コンピュータが実行可能なプログラムにおいて、
受信データにおけるエラーの検出頻度を演算する演算処理と、
前記演算処理により演算されたエラーの検出頻度が、目標値以下の場合には目標とするＳＩＲの設定値を低くする一方で、該検出頻度が目標値を超える場合には目標とするＳＩＲの設定値を高くする目標送信電力設定処理と、
受信信号のＳＩＲを測定するＳＩＲ測定処理と、
前記ＳＩＲ測定処理により測定されたＳＩＲと、前記目標送信電力設定処理により設定された目標ＳＩＲと、を比較するＳＩＲ比較処理と、
測定されたＳＩＲが目標ＳＩＲ以上である場合にはＳＩＲを低下させる要求を、測定されたＳＩＲが目標ＳＩＲ未満である場合にはＳＩＲを上昇させる要求を、それぞれ行う送信電力要求処理と、
前記演算処理により演算されたエラーの検出頻度が所定の閾値を超えた場合に、該検出頻度を実際よりも小さい値に補正するエラー頻度補正処理と、
を実行するプログラム。
【請求項１５】
コンピュータが実行可能なプログラムにおいて、
アンテナにより受信した電波を復号化することにより復号データを生成する復号処理と、
前記復号データにおけるエラーを検出するエラー検出処理と、
前記エラー検出処理によるエラーの検出頻度を演算するエラー頻度演算処理と、
前記エラー頻度演算処理により演算されたエラーの検出頻度が、目標値以下の場合には目標とするＳＩＲの設定値を低くする一方で、該検出頻度が目標値を超える場合には目標とするＳＩＲの設定値を高くする目標送信電力設定処理と、
前記復号データに基づき受信信号のＳＩＲを測定するＳＩＲ測定処理と、
前記ＳＩＲ測定処理により測定されたＳＩＲと、前記目標送信電力設定処理により設定された目標ＳＩＲと、を比較するＳＩＲ比較処理と、
測定されたＳＩＲが目標ＳＩＲ以上である場合にはＳＩＲの低下を要求する旨の制御データを、測定されたＳＩＲが目標ＳＩＲ未満である場合にはＳＩＲの上昇を要求する旨の制御データを、それぞれ生成する送信電力制御データ生成処理と、
前記送信電力制御データ生成処理にて生成された制御データと、符号化された通信データと、を送信する送信処理と、
前記エラー頻度演算処理により演算されたエラーの検出頻度が所定の閾値を超えた場合に、該検出頻度を実際よりも小さい値に補正するエラー頻度補正処理と、
を実行するプログラム。
【発明の詳細な説明】
【技術分野】
【０００１】
本発明は、移動体通信端末装置、移動体通信方法及びそのプログラムに関する。
【背景技術】
【０００２】
例えばＷ−ＣＤＭＡ通信方式の移動体通信においては、一つの周波数帯域を複数のユーザが共有する。つまり、一つの周波数帯域についての基地局から移動機への送信電力を、複数のユーザで分け合って使用する。
【０００３】
このため、一人のユーザが電力を多く使用すると他のユーザへの電力の割り当て量が制限される結果、一度に通信可能な人数（移動機数）が減少してしまう。
【０００４】
他方、移動機における受信品質は、基地局との位置関係や周囲の状況に応じて変化し、受信環境が悪い上に基地局の送信電力が小さいと通信が困難になる。
【０００５】
このような事情から、移動機が何処にあっても該移動機での受信品質を均一にさせることと、基地局側の送信電力をなるべく一人のユーザが占有しないようにすることを両立させるために、移動機側で基地局からの送信電力を制御するようにしている。
【０００６】
すなわち、小さい送信電力で足りる場合には送信電力が小さくなるように移動機側から基地局に対して要求することにより、なるべく多くのユーザが一度に通信可能とする一方で、大きな送信電力が必要な場合には送信電力が大きくなるように移動機側から基地局に対して要求ことにより、該移動機での受信品質を保つようにしている。
【０００７】
ここで、移動機は、ＣＲＣエラーの発生頻度（エラー率）を検出しており、この発生頻度を、目標とする低い水準（目標エラー率）以下に留めることができるように、基地局の送信電力を制御する。すなわち、エラー率が目標エラー率に達するまで高まった場合に限り、移動機が基地局の送信電力を大きくさせるような要求を行う。この要求を受けた基地局は、送信電力に余裕がある場合には、該当する移動機に対する送信電力を大きくする。
【０００８】
より具体的には、移動機は、受信データの単位区間あたりにおけるＣＲＣエラーの発生数を検出し、その検出数が大きくなることによりエラー率が目標エラー率に達するたびに、目標ＳＩＲの設定値を大きな値に変更する。ここで、ＳＩＲとは、Ｓｉｇｎａｌ  ｔｏ  Ｉｎｔｅｒｆｅｒｅｎｃｅ  ｐｏｗｅｒ  Ｒａｔｉｏの略で、希望波レベル対干渉波レベル比の意である。
【発明の開示】
【発明が解決しようとする課題】
【０００９】
ところで、従来は、何らかの原因（例えば、車で一瞬だけビルの陰に隠れるなど）により突発的にエラー率が高まった場合（バーストエラーが発生した場合）であっても、移動機はエラーが多く発生したと認識し、不必要に基地局の送信電力を大きくさせる制御を行い、その結果、エリア内で通信可能なユーザ数が極端に減ってしまうという問題があった。
【００１０】
図３は従来技術における問題点を説明するための図であり、このうち（ａ）は移動機での単位区間あたりのＣＲＣエラーの検出数（縦軸）の経時変化を示し、（ｂ）は移動機側での目標ＳＩＲの設定値（縦軸）の経時変化を示す。
【００１１】
図３に示すように、移動機は、単位区間あたりのＣＲＣエラーの検出数が大きくなりエラー率が目標エラー率に達するたびに（図３（ａ））、目標ＳＩＲ（ターゲットＳＩＲ）の設定値を大きな値に変更する（図３（ｂ））。
【００１２】
また、特に、バーストエラーが発生した場合、すなわち単位区間あたりのＣＲＣエラーの検出数が極端に大きくなった場合には、その分、目標ＳＩＲの設定値も極端に大きな値に設定する。
【００１３】
その結果、該当する移動機に対する基地局からの送信電力が極端に大きな値に変更され、エリア内で通信することができるユーザ数が極端に減少してしまう。
【００１４】
また、目標ＳＩＲの設定値の変更は、単位区間毎にしか行わないため、目標ＳＩＲを一旦大きな値に設定すると、なかなか標準的な目標ＳＩＲ値に収束しない。
【００１５】
このため、該当する移動機に対する基地局からの送信電力が大きな値である状態が長く継続し、その間、通信可能なユーザ数が制限される。
【００１６】
本発明は、上記のような問題点を解決するためになされたもので、何らかの原因でバーストエラーが発生した場合でも、基地局側の送信電力を過剰に大きな値にさせることがないようにできる移動体通信端末装置、移動体通信方法及びそのプログラムを提供することを目的とする。
【課題を解決するための手段】
【００１７】
上記課題を解決するため、本発明の移動体通信端末装置は、受信データにおけるエラーの検出頻度を演算するエラー頻度演算部と、前記エラー頻度演算部により演算されたエラーの検出頻度が、目標値以下の場合には目標とするＳＩＲの設定値を低くする一方で、該検出頻度が目標値を超える場合には目標とするＳＩＲの設定値を高くする目標送信電力設定部と、受信信号のＳＩＲを測定するＳＩＲ測定部と、前記ＳＩＲ測定部により測定されたＳＩＲと、前記目標送信電力設定部により設定された目標ＳＩＲと、を比較するＳＩＲ比較部と、測定されたＳＩＲが目標ＳＩＲ以上であると前記ＳＩＲ比較部により判定された場合にはＳＩＲを低下させる要求を、測定されたＳＩＲが目標ＳＩＲ未満であると前記ＳＩＲ比較部により判定された場合にはＳＩＲを上昇させる要求を、それぞれ行う送信電力要求部と、前記エラー頻度演算部により演算されたエラーの検出頻度が所定の閾値を超えた場合に、該検出頻度を実際よりも小さい値に補正するエラー頻度補正部と、を備えることを特徴としている。
【００１８】
本発明の移動体通信端末装置においては、前記エラー頻度演算部は、受信データにおけるＣＲＣエラーの検出頻度を演算することが好ましい。
【００１９】
また、本発明の移動体通信端末装置は、アンテナと、前記アンテナにより受信した電波を復号化することにより復号データを生成する復号部と、前記復号データにおけるエラーを検出するエラー検出部と、前記エラー検出部によるエラーの検出頻度を演算するエラー頻度演算部と、前記エラー頻度演算部により演算されたエラーの検出頻度が、目標値以下の場合には目標とするＳＩＲの設定値を低くする一方で、該検出頻度が目標値を超える場合には目標とするＳＩＲの設定値を高くする目標送信電力設定部と、前記復号データに基づき受信信号のＳＩＲを測定するＳＩＲ測定部と、前記ＳＩＲ測定部により測定されたＳＩＲと、前記目標送信電力設定部により設定された目標ＳＩＲと、を比較するＳＩＲ比較部と、測定されたＳＩＲが目標ＳＩＲ以上であると前記ＳＩＲ比較部により判定された場合にはＳＩＲの低下を要求する旨の制御データを、測定されたＳＩＲが目標ＳＩＲ未満であると前記ＳＩＲ比較部により判定された場合にはＳＩＲの上昇を要求する旨の制御データを、それぞれ生成する送信電力制御データ生成部と、前記送信電力制御データ生成部により生成された制御データと、符号化された通信データと、を送信する送信部と、前記エラー頻度演算部により演算されたエラーの検出頻度が所定の閾値を超えた場合に、該検出頻度を実際よりも小さい値に補正するエラー頻度補正部と、を備えることを特徴としている。
【００２０】
本発明の移動体通信端末装置においては、前記エラー検出部は、復号データにおけるＣＲＣエラーを検出し、前記エラー頻度演算部は、前記エラー検出部によるＣＲＣエラーの検出頻度を演算することが好ましい。
【００２１】
本発明の移動体通信端末装置においては、前記エラー頻度補正部は、前記エラー頻度演算部により演算されたエラーの検出頻度を前記閾値となるように補正することを好ましい例とする。
【００２２】
或いは、本発明の移動体通信端末装置においては、前記エラー頻度補正部は、前記エラー頻度演算部により演算されたエラーの検出頻度を、該検出頻度に１未満の係数（正の係数）を乗算することにより補正することも好ましい。
【００２３】
或いは、本発明の移動体通信端末装置においては、前記エラー頻度補正部は、前記エラー頻度演算部により演算されたエラーの検出頻度を前記閾値未満の値となるように補正することも好ましい。
【００２４】
本発明の移動体通信端末装置においては、前記エラー頻度演算部は、受信データの単位区間あたりのエラーの検出頻度を演算することが好ましい。
【００２５】
或いは、本発明の移動体通信端末装置においては、前記エラー頻度演算部は、単位時間あたりの受信データのエラーの検出頻度を演算するも好ましい。
【００２６】
本発明の移動体通信端末装置においては、前記エラー頻度演算部は、受信データの単位区間あたりのエラーの検出頻度を演算し、前記エラー頻度補正部は、前記エラー頻度演算部により演算されたエラーの検出頻度が所定の閾値を超えることが、受信データの複数の単位区間において連続して発生した場合に、エラーの検出頻度を補正することも好ましい。
【００２７】
本発明の移動体通信端末装置は、ＣＤＭＡ通信方式により通信を行うことを好ましい例とする。
【００２８】
また、本発明の移動体通信方法は、受信データにおけるエラーの検出頻度を演算する演算工程と、前記演算工程により演算されたエラーの検出頻度が、目標値以下の場合には目標とするＳＩＲの設定値を低くする一方で、該検出頻度が目標値を超える場合には目標とするＳＩＲの設定値を高くする目標送信電力設定工程と、受信信号のＳＩＲを測定するＳＩＲ測定工程と、前記ＳＩＲ測定工程により測定されたＳＩＲと、前記目標送信電力設定工程により設定された目標ＳＩＲと、を比較するＳＩＲ比較工程と、測定されたＳＩＲが目標ＳＩＲ以上である場合にはＳＩＲを低下させる要求を、測定されたＳＩＲが目標ＳＩＲ未満である場合にはＳＩＲを上昇させる要求を、それぞれ行う送信電力要求工程と、前記演算工程により演算されたエラーの検出頻度が所定の閾値を超えた場合に、該検出頻度を実際よりも小さい値に補正するエラー頻度補正工程と、を備えることを特徴としている。
【００２９】
また、本発明の移動体通信方法は、アンテナにより受信した電波を復号化することにより復号データを生成する復号工程と、前記復号データにおけるエラーを検出するエラー検出工程と、前記エラー検出工程によるエラーの検出頻度を演算するエラー頻度演算工程と、前記エラー頻度演算工程により演算されたエラーの検出頻度が、目標値以下の場合には目標とするＳＩＲの設定値を低くする一方で、該検出頻度が目標値を超える場合には目標とするＳＩＲの設定値を高くする目標送信電力設定工程と、前記復号データに基づき受信信号のＳＩＲを測定するＳＩＲ測定工程と、前記ＳＩＲ測定工程により測定されたＳＩＲと、前記目標送信電力設定工程により設定された目標ＳＩＲと、を比較するＳＩＲ比較工程と、測定されたＳＩＲが目標ＳＩＲ以上である場合にはＳＩＲの低下を要求する旨の制御データを、測定されたＳＩＲが目標ＳＩＲ未満である場合にはＳＩＲの上昇を要求する旨の制御データを、それぞれ生成する送信電力制御データ生成工程と、前記送信電力制御データ生成工程にて生成された制御データと、符号化された通信データと、を送信する送信工程と、前記エラー頻度演算工程により演算されたエラーの検出頻度が所定の閾値を超えた場合に、該検出頻度を実際よりも小さい値に補正するエラー頻度補正工程と、を備えることを特徴としている。
【００３０】
また、本発明のプログラムは、コンピュータが実行可能なプログラムにおいて、受信データにおけるエラーの検出頻度を演算する演算処理と、前記演算処理により演算されたエラーの検出頻度が、目標値以下の場合には目標とするＳＩＲの設定値を低くする一方で、該検出頻度が目標値を超える場合には目標とするＳＩＲの設定値を高くする目標送信電力設定処理と、受信信号のＳＩＲを測定するＳＩＲ測定処理と、前記ＳＩＲ測定処理により測定されたＳＩＲと、前記目標送信電力設定処理により設定された目標ＳＩＲと、を比較するＳＩＲ比較処理と、測定されたＳＩＲが目標ＳＩＲ以上である場合にはＳＩＲを低下させる要求を、測定されたＳＩＲが目標ＳＩＲ未満である場合にはＳＩＲを上昇させる要求を、それぞれ行う送信電力要求処理と、前記演算処理により演算されたエラーの検出頻度が所定の閾値を超えた場合に、該検出頻度を実際よりも小さい値に補正するエラー頻度補正処理と、を実行することを特徴としている。
【００３１】
また、本発明のプログラムは、コンピュータが実行可能なプログラムにおいて、アンテナにより受信した電波を復号化することにより復号データを生成する復号処理と、前記復号データにおけるエラーを検出するエラー検出処理と、前記エラー検出処理によるエラーの検出頻度を演算するエラー頻度演算処理と、前記エラー頻度演算処理により演算されたエラーの検出頻度が、目標値以下の場合には目標とするＳＩＲの設定値を低くする一方で、該検出頻度が目標値を超える場合には目標とするＳＩＲの設定値を高くする目標送信電力設定処理と、前記復号データに基づき受信信号のＳＩＲを測定するＳＩＲ測定処理と、前記ＳＩＲ測定処理により測定されたＳＩＲと、前記目標送信電力設定処理により設定された目標ＳＩＲと、を比較するＳＩＲ比較処理と、測定されたＳＩＲが目標ＳＩＲ以上である場合にはＳＩＲの低下を要求する旨の制御データを、測定されたＳＩＲが目標ＳＩＲ未満である場合にはＳＩＲの上昇を要求する旨の制御データを、それぞれ生成する送信電力制御データ生成処理と、前記送信電力制御データ生成処理にて生成された制御データと、符号化された通信データと、を送信する送信処理と、前記エラー頻度演算処理により演算されたエラーの検出頻度が所定の閾値を超えた場合に、該検出頻度を実際よりも小さい値に補正するエラー頻度補正処理と、を実行することを特徴としている。
【発明の効果】
【００３２】
本発明によれば、何らかの原因でバーストエラーが発生した場合でも、基地局に対して過剰にＳＩＲを上昇させる要求を行うことがないようにできる。よって、基地局側では該当する移動体通信端末装置に対する送信に際して不必要に大きな送信電力を用いることがなくなるので、エリア内で一度に通信可能なユーザ数が極端に減少してしまうことを防止できる。
【発明を実施するための最良の形態】
【００３３】
以下、図面を参照して、本発明に係る実施形態について説明する。
【００３４】
図１は本発明の実施形態に係る移動体通信端末装置１００の構成を示すブロック図である。
【００３５】
本実施形態に係る移動体通信端末装置１００（以下、移動機１００と略記）は、例えば、Ｗ−ＣＤＭＡ（Ｗｉｄｅｂａｎｄ  −  Ｃｏｄｅ  Ｄｉｖｉｓｉｏｎ  Ｍｕｌｔｉｐｌｅ  Ａｃｃｅｓｓ）通信方式により通信を行う端末装置であって、以下に説明するように、アウターループ制御により目標ＳＩＲ値を決定し、送信電力を上昇させたり低下させたりする要求を基地局に対して行う。
【００３６】
図１に示すように、移動機１００は、電波を送受信するアンテナ１０と、無線通信動作を行う無線部２０と、デジタルベースバンド部３０と、制御部４０と、を備えて構成されている。
【００３７】
このうち無線部２０は、デュプレクサ２１、受信部２２及び送信部２３を備えて構成され、デジタルベースバンド部３０は、復号部３１、ＣＲＣエラー検出部３２、ＳＩＲ測定部３３、ＳＩＲ比較部３４、基地局送信電力制御部３５及び符号部３６を備えて構成され、制御部４０は、ＣＲＣエラー累積部４１、累積エラー数補正部４２、目標エラー率比較部４３、目標ＳＩＲ設定部４４及び送信データ制御部４５を備えて構成されている。
【００３８】
なお、制御部４０は、ＣＰＵ及びメモリを備えて構成され、このうちメモリには制御用プログラムが記憶され、このプログラムに従ってＣＰＵが動作することにより、ＣＲＣエラー累積部４１、累積エラー数補正部４２、目標エラー率比較部４３、目標ＳＩＲ設定部４４及び送信データ制御部４５としての機能を実現する。
【００３９】
無線部２０のデュプレクサ２１は、アンテナ１０により受信した信号のうち受信帯域の周波数成分の信号のみを受信部２２に出力する一方で、送信部２３から出力される信号のうち送信帯域の周波数成分の信号のみをアンテナ１０に出力する。
【００４０】
受信部２２は、デュプレクサ２１から出力される信号をデジタルベースバンド部３０に出力する。
【００４１】
デジタルベースバンド部３０の復号部３１は、無線部２０の受信部２２から出力される信号を復号することにより復号データを生成し、該復号データをＣＲＣエラー検出部３２及びＳＩＲ測定部３３の各々に出力する。
【００４２】
ＳＩＲ測定部３３は、復号部３１からの復号データに基づいて、受信ＳＩＲ、すなわち受信信号のＳＩＲ（Ｓｉｇｎａｌ  ｔｏ  Ｉｎｔｅｒｆｅｒｅｎｃｅ  ｐｏｗｅｒ  Ｒａｔｉｏ：希望波レベル対干渉波レベル比）を測定し、この測定値をＳＩＲ比較部３４に通知する。
【００４３】
他方、ＣＲＣエラー検出部３２は、復号部３１からの復号データにおけるＣＲＣエラー（ＣＲＣ：Ｃｙｃｌｉｃ  Ｒｅｄｕｎｄａｎｃｙ  Ｃｈｅｃｋ）の有無を検出し、ＣＲＣエラーを検出した場合にはＣＲＣエラー情報を制御部４０に出力する。
【００４４】
制御部４０のＣＲＣエラー累積部４１は、受信データ（復号データ）の単位区間内においてＣＲＣエラー検出部３２から入力されるＣＲＣエラー情報の数、すなわちＣＲＣエラーの累積数を計数する。ここで、ＣＲＣエラー数（ＣＲＣエラー情報の入力回数）を累積する単位区間の長さは、上位階層から指定される目標エラー率に従って求めた値に設定するのが一般的である。
【００４５】
ＣＲＣエラー累積部４１は、このように単位区間の間に累積したＣＲＣエラー数（累積エラー数）を累積エラー数補正部４２に通知する。
【００４６】
累積エラー数補正部４２は、ＣＲＣエラー累積部４１から通知された累積エラー数と、予め設定されたエラー数の閾値（エラー数閾値）とを比較し、累積エラー数がエラー数閾値以下の場合には累積エラー数をそのままの値として目標エラー率比較部４３に通知する一方で、累積エラー数がエラー数閾値を超えている場合には累積エラー数をエラー数閾値とする補正を行って目標エラー率比較部４３に通知する。
【００４７】
従って、累積エラー数補正部４２から目標エラー率比較部４３に通知される累積エラー数の上限値はエラー数閾値に等しくなる。
【００４８】
目標エラー率比較部４３は、累積エラー数補正部４２から通知される累積エラー数が示すＣＲＣエラーの発生頻度と、予め設定された目標エラー率とを比較し、累積エラー数が示すＣＲＣエラーの発生頻度が目標エラー率以下の低い水準である場合には、目標ＳＩＲを低くする旨の情報を目標ＳＩＲ設定部４４に通知する。他方、累積エラー数が示すＣＲＣエラーの発生頻度が目標エラー率を超える高い水準となってしまった場合には、目標ＳＩＲを高くする旨の情報を目標ＳＩＲ設定部４４に通知する。
【００４９】
目標ＳＩＲ設定部４４は、目標エラー率比較部４３から通知される情報に応じて、デジタルベースバンド部３０のＳＩＲ比較部３４に目標ＳＩＲ値を設定させる。すなわち、目標ＳＩＲを高くする旨の情報が通知された場合には、ＳＩＲ比較部３４に前回値よりも高い値の目標ＳＩＲを設定させる一方で、目標ＳＩＲを低くする旨の情報が通知された場合には、ＳＩＲ比較部３４に前回値よりも低い値の目標ＳＩＲを設定させる。
【００５０】
ＳＩＲ比較部３４は、目標ＳＩＲ設定部４４により設定された目標ＳＩＲと、ＳＩＲ測定部３３から通知された受信ＳＩＲの測定値とを比較し、受信ＳＩＲの測定値が目標ＳＩＲよりも高い（大きい）場合には、送信電力を低下（小さく）させるように基地局送信電力制御部３５に通知する一方で、受信ＳＩＲの測定値が目標ＳＩＲよりも低い（小さい）場合には、送信電力を上昇（大きく）させるように基地局送信電力制御部３５に通知する。
【００５１】
基地局送信電力制御部３５は、ＳＩＲ比較部３４からの通知内容（送信電力制御信号）を基地局へ通知するために、無線部２０へ制御データを通知する。
【００５２】
無線部２０の送信部２３では、制御部４０の送信データ制御部４５により設定され、更にデジタルベースバンド部３０の符号部３６により符号化されたデータ（例えば、通信相手に送信すべき音声データ、文字データ、画像データなど）と、基地局送信電力制御部３５から通知された制御データ（ＳＩＲを低下又は上昇させる旨の要求）と、をデュプレクサ２１を介してアンテナ１０より送信する。
【００５３】
次に、図２を参照して、移動機１００の動作を説明する。
【００５４】
本発明の実施形態に係る移動機１００の動作を説明するための図であり、このうち（ａ）は単位区間あたりのＣＲＣエラーの検出数（縦軸）の経時変化を示し、（ｂ）は目標ＳＩＲの設定値の経時変化を示す。
【００５５】
図２に示すように、単位区間あたりのＣＲＣエラーの検出数がエラー数閾値に達する度に、目標ＳＩＲの設定値が上昇している。
【００５６】
ただし、従来技術の場合とは異なり、バーストエラーが発生した場合であっても、目標ＳＩＲが極端に大きくなるということはない。
【００５７】
これは、バースト的なエラーが発生し、ＣＲＣエラー累積部４１により演算されるＣＲＣエラーの検出頻度が所定の閾値を超えてしまっても、該検出頻度をＣＲＣエラー累積部４１が該閾値に補正するためである。
【００５８】
以上のような実施形態によれば、ＣＲＣエラー累積部４１により演算されたＣＲＣエラーの検出頻度が所定の閾値を超えた場合に、該検出頻度を該閾値に補正する累積エラー数補正部４２を備えるので、何らかの原因でバーストエラーが発生した場合でも、基地局に対して過剰にＳＩＲを上昇させる要求を行うことがないようにできる。よって、基地局側では移動機１００に対する送信に際して不必要に大きな送信電力を用いることがなくなるので、エリア内で一度に通信可能なユーザ数が極端に減少してしまうことを防止できる。
【００５９】
なお、上記の実施形態では、累積エラー数がエラー数閾値を超えた場合に累積エラー数をエラー閾値に補正する例を説明したが、本発明は、この例に限らず、例えば、累積エラー数がエラー数閾値を超えた場合に、予め設定した１以下の正の値の係数（例えば１／２）を累積エラー数に乗算することによって累積エラー数を小さくするように累積エラー数を補正しても良い。或いは、累積エラー数がエラー数閾値を超えた場合に、エラー数閾値未満の値となるように累積エラー数を補正しても良い。すなわち、要するに、累積エラー数がエラー閾値を超えた場合に、累積エラー数を実際よりも小さい値となるように補正すればよい。
【００６０】
また、上記の実施形態では、累積エラー数がエラー数閾値を超えた場合に、直ちに累積エラー数を補正する例を説明したが、累積エラー数がエラー閾値を超えた場合には累積エラー数を一旦０にするとともに、累積エラー数の補正は行わないようにし、次の単位区間の間に累積された累積エラー数が再度エラー閾値を超えた場合に、累積エラー数の補正を行うようにしても良い。すなわち、累積エラー数補正部４２は、ＣＲＣエラー累積部４１により演算されたＣＲＣエラーの検出頻度がエラー数閾値を超えることが、受信データの複数の単位区間において連続して発生した場合に、エラーの検出頻度を補正するようにしても良い。なお、この場合の補正についても、上記の実施形態で説明したような累積エラー数をエラー閾値とする補正であっても良いし、或いは、累積エラー数に１以下の正の値の計数を乗算する補正や、エラー数閾値未満の値とする補正であっても良い。
【００６１】
また、上記の実施形態では、エラー頻度演算部が、受信データの単位区間あたりのエラーの検出頻度を演算する例について説明したが、エラー頻度演算部は、単位時間あたりの受信データのエラーの検出頻度を演算するのであっても良い。
【図面の簡単な説明】
【００６２】
【図１】本発明の実施形態に係る移動体通信端末装置の構成を示すブロック図である。
【図２】本発明の実施形態に係る移動体通信端末装置の動作を説明するための図であり、このうち（ａ）は単位区間あたりのＣＲＣエラーの検出数（縦軸）の経時変化を示し、（ｂ）は目標ＳＩＲの設定値の経時変化を示す。
【図３】従来技術における問題点を説明するための図であり、このうち（ａ）は移動機での単位区間あたりのＣＲＣエラーの検出数（縦軸）の経時変化を示し、（ｂ）は移動機側での目標ＳＩＲの設定値（縦軸）の経時変化を示す。
【符号の説明】
【００６３】
１０    アンテナ
２３    送信部
３１    復号部
３２    ＣＲＣエラー検出部（エラー検出部）
３３    ＳＩＲ測定部
３４    ＳＩＲ比較部
３５    基地局送信電力制御部（送信電力要求部、送信電力制御データ生成部）
４１    ＣＲＣエラー累積部（エラー頻度演算部）
４２    累積エラー数補正部（エラー頻度補正部）
４４    目標ＳＩＲ設定部（目標送信電力設定部）
１００  移動機（移動体通信端末装置）
【図１】
2006050498.tif 000003
【図２】
2006050498.tif 000004
【図３】
2006050498.tif 000005